(57)【要約】 【課題】電動ステープラに用いるステープルコンテナにおいて、ステープル押さえプレートの下降駆動負荷を軽減する。 【解決手段】ステープルシートを積層して収容するコンテナ2の内壁面の上部から下部にかけて水平な逆止溝8を連続的に配置し、バネによりステープルシートを押さえるステープル押さえプレート3に逆止爪9を設けて、コンテナの逆止溝へ係合させる。逆止爪と逆止溝の形状は、ステープル押さえプレートの下降を許容し上昇を阻止するように設定するとともに、コンテナの内壁面の上部から下部にかけて逆止溝の頂点の高さを段階的又は無段階に低下させる。ステープルシートを消費してステープル押さえプレートが下降するにつれて、ステープル押さえプレートの下降駆動負荷が低下し、バネによって押されているステープル押さえプレートを確実にコンテナの底面まで下降させることができる。【選択図】図2
2006116637.tif 000002
【特許請求の範囲】
【請求項１】
直線ステープルを並列接続したステープルシートを積層して収容するコンテナと、前記コンテナ内に係合された上下動自在なステープル押さえプレートとからなる電動ステープラのステープルコンテナにおいて、
前記ステープル押さえプレートの縁部に逆止爪を設け、前記コンテナの内壁面の上部から下部にかけて、前記逆止爪に係合して前記ステープル押さえプレートの上昇を阻止する逆止溝を設けるとともに、前記コンテナの内壁面の上部から下部にかけて、前記逆止溝の頂点の高さを段階的、または無段階に低下させたことを特徴とする電動ステープラのステープルコンテナ。
【発明の詳細な説明】
【技術分野】
【０００１】
この発明は、電動ステープラのリフィル用ステープルコンテナに関するものであり、特に、コンテナ内のステープルシートの押さえ機構を改良した電動ステープラのステープルコンテナに関するものである。
【背景技術】
【０００２】
直線ステープルを並列接続したステープルシートを積層して装填する構成の電動ステープラは、ステープラ単体としてばかりではなく、複写機や印刷後処理装置などに内蔵されて広く使用されている。
【０００３】
従来、この種の電動ステープラは、ステープルシートを積層して装填したステープルマガジンを使用し、ステープルを使い切ったときは、ステープルマガジン全体を交換する形式のものが一般的であったが、近年は、省資源のためにリフィル用ステープルをプラスチック紙のコンテナに収納し、これらをステープルマガジン或いは電動ステープラ本体に装填して使用するようにしたものが主流になっている（例えば、特許文献１）。
【０００４】
特許文献１のリフィル用ステープルは、プラスチック製のコンテナ内のステープルシートを上から押さえる板状の押圧部材を備えていて、ステープルマガジン又は電動ステープラ本体に設けたアーム及びバネが押圧部材を下方へ押さえつけることによって、押圧部材がステープルシートの上面に弾接し、最下層のステープルシートが安定してフォーミング及びドライバ機構へ送られるようにしている。
【特許文献１】特開2004-237446号公報
【発明の開示】
【発明が解決しようとする課題】
【０００５】
特許文献１のリフィル用ステープルは、プラスチック製のコンテナに収容され、ステープルシートの上面に板状の押圧部材を載置した構造であり、押圧部材を付勢するバネなどの押圧手段はステープルマガジン又は電動ステープラ本体側に設けられている。したがって、ステープルマガジン或いは電動ステープラへ装着されていない状態では、ステープルシートの押さえが解除されるので、コンテナ内でステープルシートが上下動したり、コンテナのステープル送り出し口からステープルシートが飛び出したりする虞がある。
【０００６】
このような不都合を防止するには幾つかの手段が考えられるが、例えばコンテナの内壁面に鋸刃形の逆止溝を上下方向へ並列配置し、板状押圧部材に逆止溝へ係合する逆止爪を設けて、板状押圧部材が上昇することを規制する方法が、バネなどの部品を必要とせず最も簡単であり、金属部品を使用しないことから廃棄処理も容易である。
【０００７】
しかし、この場合、電動ステープラ使用時における板状押圧部材の押下げをステープルマガジン或いはステープラ本体側のバネに委ねていることから、ステープルシートが消費されて板状押圧部材が下降していくのに伴ってバネの負荷が減少していき、バネの弾発力が低下することが問題になる。
【０００８】
即ち、電動ステープラ側のバネが板状押圧部材を下方へ押圧し、板状押圧部材の逆止爪が撓んで逆止溝を乗越える際に一定の駆動負荷がかかり、板状押圧部材が比較的上昇した位置にあるとき（ステープルシートの残量が多いとき）は、バネが圧縮されていて弾発力が大きいので、板状押圧部材を押下げることに問題はないが、ステープルシートを消費して板状押圧部材が下降するにつれてバネも伸長して弾発力が低下し、板状押圧部材の逆止爪が逆止溝を乗越えることができず、板状押圧部材をステープルシートへ圧接させられなくなる虞がある。
【０００９】
そこで、上記のような不安定性を解消して、コンテナ内のステープルシートを安定的に保持できるようにするために解決すべき技術的課題が生じてくるのであり、本発明は上記課題を解決することを目的とする。
【課題を解決するための手段】
【００１０】
この発明は、上記目的を達成するために提案するものであり、直線ステープルを並列接続したステープルシートを積層して収容するコンテナと、前記コンテナ内に係合された上下動自在なステープル押さえプレートとからなる電動ステープラのステープルコンテナにおいて、前記ステープル押さえプレートの縁部に逆止爪を設け、前記コンテナの内壁面の上部から下部にかけて、前記逆止爪に係合して前記ステープル押さえプレートの上昇を阻止する逆止溝を設けるとともに、前記コンテナの内壁面の上部から下部にかけて、前記逆止溝の頂点の高さを段階的、または無段階に低下させたことを特徴とする電動ステープラのステープルコンテナを提供するものである。
【発明の効果】
【００１１】
本発明のステープルコンテナは、ステープルシートを積層して収容するコンテナの内壁面に逆止溝を設け、バネによりコンテナ内のステープルシートの上面を押さえるステープル押さえプレートに逆止爪を設けて、逆止爪を逆止溝へ係合させてステープル押さえプレートの上昇を阻止するとともに、上から下にかけて逆止溝の頂点の高さを低下させたことにより、ステープル押さえプレートが下降するにつれてステープル押さえプレートの下降駆動負荷が低下するようにしたので、ステープル押さえプレートが下降するにともなって、ステープル押さえプレートを押さえるバネの弾発力が低下しても、ステープル押さえプレートを確実にコンテナの底面まで下降させることができ、コンテナ内のステープルシートを安定的に保持できる。
【発明を実施するための最良の形態】
【００１２】
直線ステープルを並列接続したステープルシートを積層して収容するコンテナの内壁面の上部から下部にかけて水平な逆止溝を連続的に配置し、ステープルシートの上面に載置されるステープル押さえプレートに逆止爪を設けて、コンテナの逆止溝へ係合させる。逆止爪と逆止溝の形状は、ステープル押さえプレートの下降を許容し、上昇を阻止するように設定するとともに、コンテナの内壁面の上部から下部にかけて、前記逆止溝の頂点の高さを段階的又は無段階に低下させる。
【００１３】
コンテナ内のステープルシートを消費することにより、ステープル押さえプレートが下降するにつれて、ステープル押さえプレートの下降駆動負荷が低下し、バネによって押されているステープル押さえプレートを確実にコンテナの底面まで下降させることができる。
【実施例１】
【００１４】
図1乃至図3は、ステープルコンテナ1を示し、上面が開放された角型のコンテナ2内に積層されたステープルシートSの上面を覆うようにステープル押さえプレート3が装着されている。
【００１５】
図2に示すように、ステープル押さえプレート3には、前部の左右両側から外方向へ突出するガイド軸4が形成されており、コンテナ2の左右の側壁にはステープル押さえプレート3のガイド軸4が係合する垂直方向のガイド溝5が形成されている。ガイド溝5は垂直溝部5aの上下両端が水平方向へ屈折しており、ステープル押さえプレート3がガイド溝5に沿って下降して、コンテナ2の底面に達したときに、ステープル押さえプレート3をガイド溝5の水平溝部5bに沿って前方へスライドさせることができる。
【００１６】
コンテナ2の後部壁6は、上端の薄肉ヒンジ部7を介してコンテナ2につながっており、後部壁6を後方から押して前方へ回動させることができる。図3 (d) に示すように、後部壁6には角穴6aが形成されていて、電動ステープラ本体又はステープルカートリッジのコンテナ収容室へステープルコンテナ1を装填したときに、電動ステープラ又はステープルカートリッジなどのロック爪に後部壁6の角穴6aが係合してステープルコンテナ1が固定される。
【００１７】
図3及び図4に示すように、コンテナ2内にステープルシートSがあり、ステープル押さえプレート3のガイド軸4がガイド溝5の垂直溝部５aに係合しているときは、ステープル押さえプレート3の後端が後部壁6の直前に位置していて、後部壁6を前方へ揺動させることができない。このようにして、コンテナ2内にステープルシートSがある場合は、後部壁6の押圧操作を不可能にして電動ステープラ本体又はステープルカートリッジからステープルコンテナ1を取外すことができないようにしている。
【００１８】
また、コンテナ2内のステープルシートSを使い切ってステープル押さえプレート3がコンテナ2の底面に達したときは、ガイド軸4がガイド溝5の下端の水平溝部5bに入ってステープル押さえプレート3が前進可能となり、このときは、後部壁6を押圧操作して、後部壁6の角穴6aとステープラ本体のロック爪との係合を解除することができ、ステープルコンテナ1を電動ステープラ本体或いはステープルカートリッジから取外すことができる。
【００１９】
図2に示すように、コンテナ2の左右の内壁面にはガイド溝5の垂直部5aと並んで鋸刃形断面の逆止溝8が形成されており、ステープル押さえプレート3の左右の縁部には逆止溝8に対応する逆止爪9が設けられている。コンテナ2並びにステープル押さえプレート3は弾性を有する樹脂製であるので、ステープル押さえプレート3の逆止爪9は負荷に応じて撓み、電動ステープラ本体或いはステープルカートリッジに備えられているバネによってステープル押さえプレート3に上方から圧力を加えることにより下降させることが可能である。
【００２０】
図5は、逆止溝8と逆止爪9の拡大図である。ステープル押さえプレート3の逆止爪9は先端が上向きであるので、逆止爪9が逆止溝8を乗越えて下降することは容易であるが、ステープル押さえプレート3に上昇方向の外力が加わったときは、逆止爪9が逆止溝8に食い込むことになり、ステープル押さえプレート3を上昇させることはできない。
【００２１】
コンテナ2の上部から下部にかけて形成されている逆止溝8は、溝の深さが上半部8aと下半部8bとで異なっており、溝のより浅い下半部8bは、頂点の高さが上半部8aよりも低くなっている。これにより、逆止爪9を撓ませて逆止溝8に沿って下降させるのに要する力が、下半部8bでは上半部8aに比較して軽減される。
【００２２】
ステープルシートが消費されてステープル押さえプレート3が下降するのに伴って、バネの負荷が徐々に軽減されていって弾発力が低下し、バネのステープル押さえプレート3を押下げる力が減少するが、逆止溝8の下半部8bの深さを浅くしたことによって、弾発力の低下に関わらず確実にステープル押さえプレート3を押下げることができる。
【００２３】
尚、この発明は上記の実施形態に限定するものではなく、上記の例では逆止溝の深さを二段階に変化させているが、これに限定されないことは当然であり、より多段階に変化させてもよく、また、上から下に向かって無段階に溝の深さが減少するように形成するなど、この発明の技術的範囲内において種々の改変が可能であり、この発明がそれらの改変されたものに及ぶことは当然である。
【図面の簡単な説明】
【００２４】
【図１】本発明の実施の一形態を示し、リフィル用ステープルコンテナの斜視図。
【図２】(a) は図1のステープルコンテナの組立図、(b) は(a)のA部拡大図である。
【図３】図1のステープルコンテナを示し、(a) は平面図、(b) は正面図、(c) は側面図、(d) は背面図、(e) は底面図である。
【図４】(a) は図3 (a) のA-A線断面図、(b) は図3 (c)のB-B線断面図。
【図５】ステープルコンテナの逆止め溝と逆止め爪の拡大図。
【符号の説明】
【００２５】
1      ステープルコンテナ
2      コンテナ
3      ステープル押さえプレート
4      ガイド軸
5      ガイド溝
6      後部壁
7      ヒンジ部
8      逆止溝
8a     上半部
8b     下半部
9      逆止爪
【図１】
2006116637.tif 000003
【図２】
2006116637.tif 000004
【図３】
2006116637.tif 000005
【図４】
2006116637.tif 000006
【図５】
2006116637.tif 000007